(57)【要約】【課題】  取り扱い性、断熱性およびファッション性のいずれにも優れた自動車カバーを提供すること。【解決手段】  本発明の自動車カバーは、自動車前部を覆うカバーシートが折り畳まれてなる第１のカバーシート部と、自動車の屋根および側面部を覆うカバーシートが折り畳まれてなる第２のカバーシート部と、自動車の後部を覆うカバーシートが折り畳まれてなる第３のカバーシート部とを少なくとも含む複数のカバーシート部が該自動車の前後方向に連結されてなる。カバーシート部のそれぞれは、当該カバーシートが折り畳まれた状態および展開した状態の両方において自動車の所定の位置に保持されるような保持手段を備える。さらに、カバーシートのそれぞれは断熱層を備え、かつ、展開した状態でそれぞれのカバーシートが一体となるような一体化手段を備える。【選択図】  図１ 
2005029058.tif 000002
【特許請求の範囲】
【請求項１】
自動車前部を覆うカバーシートが折り畳まれてなる第１のカバーシート部と、該自動車の屋根および側面部を覆うカバーシートが折り畳まれてなる第２のカバーシート部と、該自動車の後部を覆うカバーシートが折り畳まれてなる第３のカバーシート部とを少なくとも含む複数のカバーシート部が該自動車の前後方向に連結されてなり、
該カバーシート部のそれぞれが、該カバーシートが折り畳まれた状態および展開した状態の両方において該自動車の所定の位置に保持されるような保持手段を備え、
該カバーシートのそれぞれが断熱層を備え、かつ、展開した状態でそれぞれのカバーシートが一体となるような一体化手段を備える
自動車カバー。
【請求項２】
使用しないときには、前記複数のカバーシート部が互いに重ねられて取り付けられて収納される、請求項１に記載の自動車カバー。
【発明の詳細な説明】
【技術分野】
【０００１】
本発明は、自動車カバーに関する。より詳細には、本発明は、取り扱い性、断熱性およびファッション性のいずれにも優れた自動車カバーに関する。
【背景技術】
【０００２】
従来より、カバーシートとその収納袋を一体に構成した自動車カバーが知られている（例えば、特許文献１参照）。
【特許文献１】実開昭５６−１４６６１７号公報
【０００３】
この種の代表的な自動車カバーは、カバーシートの一部分が収納袋の内部に固定されている。使用に際しては、収納袋を車体の前端部に取り付けた後、収納されているカバーシートを引き出して車体に被せ、使用後には、カバーシートを前端に手繰り寄せて折りたたみ、収納袋に収納した後、収納袋を車体から取り外すようになっている。
【０００４】
しかし、この種の自動車カバーは全く断熱効果がなく、カバーを被せていても、夏季においては車内が非常に暑く、冬季においては車内が非常に寒くなってしまう。また、この種の自動車カバーは、１枚の暗色系シートで車体全体を覆うのでファッション性に乏しく、車種や個人の嗜好に応じた配色や絵柄の印刷は実質的に不可能である。さらに、このような自動車カバーによれば、装着および取り外しの作業が非常に煩雑である。
【発明の開示】
【発明が解決しようとする課題】
【０００５】
本発明は、上記従来の課題を解決するためになされたものであり、その目的とするところは、取り扱い性、断熱性およびファッション性のいずれにも優れた自動車カバーを提供することにある。
【課題を解決するための手段】
【０００６】
本発明の自動車カバーは、自動車前部を覆うカバーシートが折り畳まれてなる第１のカバーシート部と、該自動車の屋根および側面部を覆うカバーシートが折り畳まれてなる第２のカバーシート部と、該自動車の後部を覆うカバーシートが折り畳まれてなる第３のカバーシート部とを少なくとも含む複数のカバーシート部が該自動車の前後方向に連結されてなり；該カバーシート部のそれぞれが、該カバーシートが折り畳まれた状態および展開した状態の両方において該自動車の所定の位置に保持されるような保持手段を備え；該カバーシートのそれぞれが断熱層を備え、かつ、展開した状態でそれぞれのカバーシートが一体となるような一体化手段を備える。
【０００７】
好ましい実施形態においては、本発明の自動車カバーは、使用しないときには、上記複数のカバーシート部が互いに重ねられて取り付けられて収納される。
【発明の効果】
【０００８】
本発明の自動車カバーによれば、カバーシート自体が断熱層を有するので、従来のカバーシートに比べて格段に断熱効果が高く、夏季および冬季の車内温度維持に非常に適切である。また、複数のカバーシート部からカバーシートをそれぞれ展開して車体を覆うので、それぞれのカバーシートに所望のデザイン的処理（例えば、着色、模様付け、ロゴ、エンブレム）を施すことができる。その結果、従来のカバーシートに比べてファッション性が高く、かつ、嗜好に応じたカスタマイズが可能となり、場合によっては広告宣伝効果も期待できる。さらに、車体の複数の位置で折り畳まれたカバーシートを拡げて作業するので、従来の自動車カバーに比べて装着および取り外しの作業が簡便である。加えて、使用しないときにはカバーシート部を重ね合わせて収納するので、非常にかさが低く、持ち運びにも収納にも好ましい。
【発明を実施するための最良の形態】
【０００９】
以下、図面を参照して本発明の好ましい実施形態を具体的に説明するが、本発明はこれらの実施形態には限定されない。図１は、本発明の好ましい実施形態による自動車カバーにおいて、カバーシート部を折り畳んだ状態で自動車に配置した状態を説明するための概略平面図である。図２は、図１の自動車カバーのカバーシートを展開して自動車を覆った状態を説明するための概略平面図である。図示例では、ボンネット部、フロントガラス、屋根およびリアウィンドーに保持される４つのカバーシート部を有する自動車カバーについて説明する。
【００１０】
図１の実施形態による自動車カバー１００は、自動車のボンネット部に保持されて自動車前部を覆うカバーシート５１が折り畳まれてなるカバーシート部１と、フロントガラスに保持され当該フロントガラス部およびカバーシート部１でカバーされない自動車前部を覆うカバーシート６１が折り畳まれてなるカバーシート部１１と、自動車の屋根に保持されて自動車の屋根および側面部を覆うカバーシート５２が折り畳まれてなるカバーシート部２と、リアウィンドーに保持されて自動車の後部を覆うカバーシート５３が折り畳まれてなるカバーシート部３とが該自動車の前後方向に連結されてなる。連結手段４としては、任意の適切な手段が採用され得る。例えば、各カバーシート部を通常の紐で取り付けてもよく、ゴム紐で取り付けてもよい。ゴム紐が好ましい。なぜなら、使用後の収納時には１つのカバーシート部（通常は屋根のカバーシート部）のみを保持し、他のカバーシート部の保持手段を開放して重ね合わせるが、このときゴム紐の収縮力により開放されたカバーシート部が保持されているカバーシート部近傍に小さくまとまるからである。
【００１１】
カバーシート部のそれぞれは、当該カバーシートが折り畳まれた状態および展開した状態の両方において自動車の所定の位置に保持されるような保持手段を備える。すなわち、図１においては、折り畳んだ状態のカバーシート部の四隅に任意の適切な保持手段５（代表的には吸盤）が設けられている。折り畳んだ状態で四隅を保持することにより、カバーシートの展開が非常に簡単に行える。一方、図２においても、展開したカバーシートの四隅に保持手段６が設けられている。展開した状態においても保持手段６を設けることにより、カバーシートが車体に良好に密着し、強風等の外力によっても車体から容易に外れることがなくなる。
【００１２】
カバーシートを構成する材料は特に限定されず、任意の適切な材料が用いられる。カバーシート５１、５２、５３および６１はそれぞれ独立であるので、カバーシートごとに異なるデザイン的処理（例えば、着色、模様付け、ロゴ、エンブレム）を施すことができる。したがって、従来の暗色系一色のカバーシートに比べて格段にファッション性が高くなり、ニーズに合わせたカスタマイズも可能となる。さらに、カバーシートのそれぞれは（代表的には、内側に）断熱層を備える。断熱層は任意の適切な断熱材からなる。断熱材の種類、断熱層の厚み等は目的に応じて適切に選択され得る。断熱層を内側に設ける場合には断熱材に反射機能は不要であるが、断熱層を外側に設ける場合には反射機能を有するのが好ましい。さらに、それぞれのカバーシート５１、５２、５３および６１は、展開した状態で、それぞれのカバーシートが一体となって自動車の車体を覆うようになるような一体化手段７を備える。代表的な一体化手段としては、ファスナー、マジックテープなどが挙げられる。例えば、図２においては、カバーシート５１と６１、６１と５２、５２と５３がそれぞれファスナーやマジックテープ等で互いに取り付けられ、一体となって自動車を覆っている。必要に応じて、カバーシートには、任意の適切な小型デバイス（例えば、温度計、湿度計、警報装置）を取り付けることができる。なお、１つの実施形態においては、カバーシートを構成する材料は透明であり得る。この場合には、断熱層を設けなければ社内が見えるという利点がある。また、この場合には、断熱層を内側に設ける場合であっても反射機能が必要である。
【００１３】
次に、本発明の自動車カバーの使用手順の一例について簡単に説明する。本発明の自動車カバーは、使用しないときには、図３に示すように、上記複数のカバーシート部が互いに重ねられて取り付けられて収納されている。取り付け手段８としては、任意の適切な取り付け手段（例えば、ボタン）が採用され得る。必要に応じて、重ねられたカバーをベルトで締め付け、取っ手をつけてかばん状にすれば持ち運びに便利である。使用時には、図２に示すように、まず、カバーシート部２を下にしてカバーを自動車の屋根の上に配置し、保持手段５でカバーシート部２を保持する。図示例においては、バックミラーに紐をかけることにより、保持性能をさらに向上させている。また、この紐は盗難防止にも効果を発揮する。次いで、取り付け手段８を解放し、カバーシート部３、１１および１を順次所定の車体位置に配置し、それぞれを保持手段５で保持する。次いで、それぞれのカバーシート５１、５２、５３および６１を拡げる。あまり大きくない複数のカバーシートをそれぞれ拡げていけばよいので、大きなシート１枚で車体全体を覆う従来のカバーに比べて、作業が格段に簡便化される。次いで、一体化手段７で各カバーシートを取り付け、最後に保持手段６で車体に密着させて車体を覆う。片付ける際には、取り付け作業と全く逆の手順を行えばよい。
【００１４】
本発明においては、自動車カバーで自動車全体を完全に被せてしまう必要はない。車体の汚れを防止し、温度維持を行うに十分であれば、図２に示すように、車体の形状に合わせて所望の部分のみをそれぞれのカバーシート５１、５２、５３および６１で覆えばよい。1つの実施形態においては、水平方向の視線で見たときに、カバーシートがバックミラーの直下に到達するようにして車体を覆えばよい。多くの自動車の形状を考慮すると、このような態勢がカバーの保持能力を最も大きくすることができるからである。もちろん、車体全体を覆うようにしてもよい。なお、図示例では４つのカバーシート部を有する場合について説明したが、カバーシート部の数は目的に応じて変化し得る。ただし、簡便性を考慮すると、車体前部、屋根および後部の少なくとも３箇所に保持されるカバーシート部が必要である。
【産業上の利用可能性】
【００１５】
以上のように、本発明によれば、取り扱い性、断熱性およびファッション性のいずれにも優れた自動車カバーを得ることができる。
【図面の簡単な説明】
【００１６】
【図１】本発明の好ましい実施形態による自動車カバーにおいて、カバーシート部を折り畳んだ状態で自動車に配置した状態を説明するための概略平面図である。
【図２】図１の自動車カバーのカバーシートを展開して自動車を覆った状態を説明するための概略平面図である。
【図３】図１のカバーシートの収納時の状態を説明するための概略断面図である。
【符号の説明】
【００１７】
１、２、３、１１  カバーシート部
５１、５２、５３、６１  カバーシート
４  連結手段
５  保持手段（折り畳み時）
６  保持手段（展開時）
７  一体化手段
８  取り付け手段
１００  自動車カバー
【図１】
2005029058.tif 000003
【図２】
2005029058.tif 000004
【図３】
2005029058.tif 000005